(57)【特許請求の範囲】
【請求項１】
端末と、パラメータファイル設定の対象となる通信機器とに、通信ネットワークを介して接続されたパラメータファイル設定サーバにおいて、
前記通信機器のパラメータファイルと、通信機器の場所、メーカまたは種類である通信機器を特定する項目と、通信機器の接続方法を示す画像と、前記通信機器の機器ＩＤとを関連付けて記憶する記憶部と、
前記端末からサービス要求を受信し、通信機器を特定する項目である通信機器の場所、メーカまたは種類の一覧を前記端末に表示させ、この一覧の中からユーザにより選択された通信機器の場所、メーカまたは種類の情報を前記端末から受信し、前記記憶部を参照して、選択された通信機器の場所、メーカまたは種類に関連付けられている機器ＩＤの一覧を前記端末に表示させ、前記端末からパラメータファイル設定の対象となる通信機器の機器ＩＤを含む情報を受信し、前記記憶部を参照して、当該機器ＩＤに設定可能なパラメータファイルの一覧を前記端末に表示させるとともに、当該機器ＩＤの通信機器の接続方法を示す画像を前記端末に表示させるパラメータファイル表示部と、
前記端末から、設定するパラメータファイル情報を含むパラメータファイル設定要求を受信し、前記通信機器に、前記パラメータファイル情報で指定されたパラメータファイルの設定を実行するとともに、前記パラメータファイルを設定する実行手順の実行状況を前記端末に表示させ、前記通信機器から前記パラメータファイルの設定を実行した作業ログを受信すると、パラメータファイル変更履歴の情報を前記記憶部に記録するパラメータファイル設定実行部と
を備えることを特徴とするパラメータファイル設定サーバ。
【請求項２】
端末と、パラメータファイル設定の対象となる通信機器と、前記通信機器のパラメータファイルを記憶する記憶部を有するパラメータファイル設定サーバと、前記端末、前記通信機器、前記パラメータファイル設定サーバとを相互に接続する通信ネットワークとを具備し、
前記パラメータファイル設定サーバは、
前記通信機器のパラメータファイルと、通信機器の場所、メーカまたは種類である通信機器を特定する項目と、通信機器の接続方法を示す画像と、前記通信機器の機器ＩＤとを関連付けて記憶する記憶部を備えており、
前記端末から前記通信ネットワークを介してサービス要求を受信し、通信機器を特定する項目である通信機器の場所、メーカまたは種類の一覧を前記端末に表示させ、この一覧の中からユーザにより選択された通信機器の場所、メーカまたは種類の情報を前記端末から前記通信ネットワークを介して受信し、前記記憶部を参照して、選択された通信機器の場所、メーカまたは種類に関連付けられている機器ＩＤの一覧を前記端末に表示させ、前記端末から前記通信ネットワークを介して、パラメータファイル設定の対象となる通信機器の機器ＩＤを含む情報を受信し、前記記憶部を参照して、当該機器ＩＤに設定可能なパラメータファイルの一覧を前記端末に表示させるとともに、当該機器ＩＤの通信機器の接続方法を示す画像を前記端末に表示させ、
前記端末から前記通信ネットワークを介して、設定するパラメータファイル情報を含むパラメータファイル設定要求を受信し、前記通信ネットワークを介して、前記通信機器に前記パラメータファイル情報で指定されたパラメータファイルを設定するとともに、前記パラメータファイルを設定する実行手順の実行状況を前記端末に表示させ、前記通信機器から前記パラメータファイルの設定を実行した作業ログを前記通信ネットワークを介して受信すると、パラメータファイル変更履歴の情報を前記記憶部に記録することを特徴とするパラメータファイル設定システム。
【請求項３】
前記通信機器は、
コンソールポートでデバイスサーバと接続され、前記デバイスサーバを介して前記通信ネットワークに接続されることを特徴とする請求項２に記載のパラメータファイル設定システム。
【発明の詳細な説明】
【０００１】
【発明の属する技術分野】
本発明は、特別なスキルを有する作業者でなくてもネットワーク機器のパラメータファイル設定を行うことができ、かつ、パラメータファイル設定の履歴を残すことのできるパラメータファイル設定サーバ及びシステムに関するものである。
【０００２】
【従来の技術】
ネットワーク機器はメーカ、機種ごとにパラメータファイル設定方法が異なるため、設定を行なうためには各々のネットワーク機器についての設定方法を熟知する必要がある。従来、ネットワーク機器のパラメータファイル設定には、まず、設定する機器のコンソールポートにケーブルでＰＣ等を直接接続し、パラメータファイルの設定を実施するという現地作業が必要であった。
【０００３】
【発明が解決しようとする課題】
上述のように、パラメータファイル設定のためには現地作業が必要なため、作業者のスキルに左右されると共に、遠隔からの支援が難しいという問題があった。また、障害の発生時においては、パラメータファイル設定の変更履歴を把握されていない場合、機器障害時の復旧のための正確な情報を把握できず、回復に時間がかかるという問題があった。
本発明はこのような事情に鑑みてなされたもので、ネットワーク機器のパラメータファイル設定において、特別なスキルを有する作業者でなくても設定を行うことができるパラメータファイル設定サーバ及びシステムを提供することを目的とする。また、この発明の他の目的は、パラメータファイル設定の履歴を残すことのできるパラメータファイル設定サーバ及びシステムを提供することにある。
【０００４】
【課題を解決するための手段】
本発明は上記の目的を達成するためになされたもので、端末と、パラメータファイル設定の対象となる通信機器とに通信ネットワークを介して接続されたパラメータファイル設定サーバにおいて、前記通信機器のパラメータファイルと、通信機器の場所、メーカまたは種類である通信機器を特定する項目と、通信機器の接続方法を示す画像と、前記通信機器の機器ＩＤとを関連付けて記憶する記憶部と、前記端末からサービス要求を受信し、通信機器を特定する項目である通信機器の場所、メーカまたは種類の一覧を前記端末に表示させ、この一覧の中からユーザにより選択された通信機器の場所、メーカまたは種類の情報を前記端末から受信し、前記記憶部を参照して、選択された通信機器の場所、メーカまたは種類に関連付けられている機器ＩＤの一覧を前記端末に表示させ、前記端末からパラメータファイル設定の対象となる通信機器の機器ＩＤを含む情報を受信し、前記記憶部を参照して、当該機器ＩＤに設定可能なパラメータファイルの一覧を前記端末に表示させるとともに、当該機器ＩＤの通信機器の接続方法を示す画像を前記端末に表示させるパラメータファイル表示部と、前記端末から、設定するパラメータファイル情報を含むパラメータファイル設定要求を受信し、前記通信機器に、前記パラメータファイル情報で指定されたパラメータファイルの設定を実行するとともに、前記パラメータファイルを設定する実行手順の実行状況を前記端末に表示させ、前記通信機器から前記パラメータファイルの設定を実行した作業ログを受信すると、パラメータファイル変更履歴の情報を前記記憶部に記録するパラメータファイル設定部とを備えることを特徴とする。これにより、通信ネットワーク経由で通信機器のパラメータファイル設定を行うことができ、遠隔地からの支援等が可能となる。また、設定履歴を一元管理することにより、ネットワーク障害発生時の早急な復旧が可能となる。
【０００５】
また、作業者のスキルに左右されることなく、パラメータファイルの設定を行うことができる。
【０００６】
本発明は、端末と、パラメータファイル設定の対象となる通信機器と、前記通信機器のパラメータファイルを記憶する記憶部を有するパラメータファイル設定サーバと、前記端末、前記通信機器、前記パラメータファイル設定サーバとを相互に接続する通信ネットワークとを具備し、前記パラメータファイル設定サーバは、前記通信機器のパラメータファイルと、通信機器の場所、メーカまたは種類である通信機器を特定する項目と、通信機器の接続方法を示す画像と、前記通信機器の機器ＩＤとを関連付けて記憶する記憶部を備えており、前記端末から前記通信ネットワークを介してサービス要求を受信し、通信機器を特定する項目である通信機器の場所、メーカまたは種類の一覧を前記端末に表示させ、この一覧の中からユーザにより選択された通信機器の場所、メーカまたは種類の情報を前記端末から前記通信ネットワークを介して受信し、前記記憶部を参照して、選択された通信機器の場所、メーカまたは種類に関連付けられている機器ＩＤの一覧を前記端末に表示させ、前記端末から前記通信ネットワークを介して、パラメータファイル設定の対象となる通信機器の機器ＩＤを含む情報を受信し、前記記憶部を参照して、当該機器ＩＤに設定可能なパラメータファイルの一覧を前記端末に表示させるとともに、当該機器ＩＤの通信機器の接続方法を示す画像を前記端末に表示させ、前記端末から前記通信ネットワークを介して、設定するパラメータファイル情報を含むパラメータファイル設定要求を受信し、前記通信ネットワークを介して、前記通信機器に前記パラメータファイル情報で指定されたパラメータファイルを設定するとともに、前記パラメータファイルを設定する実行手順の実行状況を前記端末に表示させ、前記通信機器から前記パラメータファイルの設定を実行した作業ログを前記通信ネットワークを介して受信すると、パラメータファイル変更履歴の情報を前記記憶部に記録することを特徴とするパラメータファイル設定システムである。これにより、通信ネットワーク経由で通信機器のパラメータファイル設定を行うことができ、遠隔地からの支援等が可能となる。また、設定履歴を一元管理することにより、ネットワーク障害発生時の早急な復旧が可能となる。また、作業者のスキルに左右されることなく、パラメータファイルの設定を行うことができる。
【０００７】
また、上記パラメータファイル設定システムにおいて、前記通信機器は、コンソールポートでデバイスサーバと接続され、前記デバイスサーバを介して前記通信ネットワークに接続されることを特徴とする。これにより、その通信機器の通信用ポートと通信できない状態であっても、通信機器のパラメータファイル設定を実行することができる。
【０００８】
【発明の実施の形態】
以下、図面を参照し、本発明の一実施形態について説明する。本実施形態は、センタのパラメータファイル設定サーバが、ネットワーク機器のパラメータファイル設定をインターネット等の通信ネットワーク経由で実行するものである。ユーザは、パラメータファイル設定の依頼を、ＬＡＮ経由でインターネットに接続されたＰＣ等の端末、あるいは、携帯電話経由で携帯電話網に接続されたノートパソコン等の端末で行うことができる。ＬＡＮ経由で設定の依頼をする実施形態をＡ、携帯電話網経由で設定の依頼をする実施形態をＢとし、まず、ＬＡＮ経由でパラメータファイル設定を依頼する実施形態Ａを説明する。
【０００９】
実施形態Ａ
図１は、本実施形態のシステム構成を示すブロック図である。この図において、２１はパラメータファイル設定サーバであり、ネットワーク機器のパラメータファイル設定を実行し、さらに、設定情報を一元管理する。
５３はセンタのＬＡＮであり、パラメータファイル設定サーバ２１は、ＬＡＮ５３を介してインターネット５０に接続される。
【００１０】
５２は、ネットワーク機器を設定している企業等のＬＡＮである。
１８ａはノートパソコン等の端末であり、ＬＡＮ５２に接続され、インターネット５０にアクセスできる。３１はデバイスサーバ（ＤＳ）であり、ＬＡＮ５２に接続され、インターネット５０にアクセスできる。３２はパラメータファイル設定の対象であるネットワーク機器であり、本実施形態ではルータ等であるものとする。
通常、ネットワーク機器には、設定用のポートであるコンソールポートと、通信用のポートが存在する。コンソールポートは、初期設定の不要なポートであり、通信用のポートは、初期設定の必要なポートである。通常、ネットワーク機器は、コンソールポートにノートパソコン等を接続してパラメータファイルの設定を行う。
しかし、本実施形態では、ネットワーク機器３２のコンソールポートに、デバイスサーバ３１が接続した状態であるものとする。デバイスサーバ３１がプロトコルの変換を行うことにより、パラメータファイル設定サーバ２１がネットワーク経由でネットワーク機器３２のパラメータファイル設定を実行することが可能となる。
【００１１】
ＬＡＮ５３とＬＡＮ５２は各々ファイヤウォール等（図示略）を介してインターネット５０に接続されている。
【００１２】
パラメータファイル設定サーバ２１は、パラメータファイル設定システムを提供するサービス会社等の管理するサーバである。サービス会社等はパラメータファイル設定サーバ２１に、あるいは、他のサーバ上にパラメータファイル設定のためのサイトを開設している。ネットワーク機器のパラメータファイル設定を実施しようとするユーザは、端末１８ａからインターネット５０を介してこのサービス会社等の開設するサイトにアクセスし、パラメータファイルの設定を依頼する。
【００１３】
図２はパラメータファイル設定サーバ２１を機能展開したブロック図である。この図において、１はサービス表示部であり、サービスの一覧を表示する。２は機器表示部であり、パラメータファイル設定を行う機器を表示させる。３は設定パラメータファイル表示部であり、パラメータファイルを表示させる。４はパラメータファイル設定実行部であり、依頼されたパラメータファイル設定を実行する。５は結果表示部であり、ダウンロード実行後の結果を表示する。
【００１４】
また、パラメータファイル設定サーバ２１は、ユーザＤＢ（データベース）１１、管理ＤＢ１２、パラメータファイルＤＢ１３を備える。これらデータベースの詳細を図３に示す。ユーザＤＢ１１は、ユーザＩＤと関連付けられたユーザ情報等を記録する。管理ＤＢ１２は、機器ＩＤと関連付けられた機器種別ＩＤ、各機器のパラメータファイル変更履歴、機器の設置場所を示す場所ＩＤ等を記録する。パラメータファイルＤＢ１３は、パラメータファイルＩＤと関連付けられたパラメータファイル、対象機器等を記録する。
【００１５】
なお、パラメータファイルは、ネットワーク機器のメーカや機種によって異なる。そのため、ユーザは、メーカや機種に応じたパラメータファイルを、図１４に一例を示すように、あらかじめパラメータファイルＤＢ１３に記憶させておく。
また、本実施形態では、ユーザはあらかじめ氏名（企業名）、住所等をサービス提供者等に通知し、ユーザＤＢ１１に登録しておくものとする。
【００１６】
次に、本実施形態の動作を、図４を参照して説明する。ユーザは端末１８ａのブラウザを用いてインターネット５０を介してパラメータファイル設定を依頼するサイトにアクセスする。その際、図５に一例を示すように、ユーザＩＤやパスワード等を入力する画面がブラウザに表示されるので、ユーザは、キーボード等を用いてユーザＩＤとパスワード等を入力する（図４におけるＳ６１）。
パラメータファイル設定サーバ２１は、ユーザＤＢ１１を参照し、入力されたユーザＩＤとパスワード等から、ユーザにログイン権限があるかどうか確認する。
【００１７】
ユーザの正当性を認証すると、パラメータファイル設定サーバ２１のサービス表示部１は、サイトで実行できるサービスの一覧を、端末１８ａのブラウザ上に表示させる（図４におけるＳ６２）。その一例を図６に示す。
ここでは、ユーザは、パラメータファイルの設定を行うサービスを示す「１．設定情報ダウンロード」をクリック等して選択したものとする。
【００１８】
「１．設定情報ダウンロード」が選択されると、端末１８ａは、「設定情報ダウンロード」という情報を含むサービス要求をパラメータファイル設定サーバ２１に送信する（図４におけるＳ６３）。
【００１９】
サービス要求を受信すると、パラメータファイル設定サーバ２１の機器表示部２は、図７の（ａ）に一例を示すように、「九州、四国、東京」というようなネットワーク機器の設置されている地名を、端末１８ａのブラウザ上に表示させる（図４におけるＳ６５）。各々の地名は、各々の場所ＩＤとリンクされている。ユーザが、例えば「東京」をクリック等して選択すると、端末１８ａはパラメータファイル設定サーバ２１に、ネットワーク機器設置場所（東京）を含む情報を送信する（図４におけるＳ６５）。
【００２０】
パラメータファイル設定サーバ２１の機器表示部２は、管理ＤＢ１２を参照し、「東京」の場所ＩＤと関連付けられているネットワーク機器の機器ＩＤを端末１８ａのブラウザ上に表示させる（図４におけるＳ６５）。その一例を図７の（ｂ）に示す。
ユーザは機器ＩＤの一覧から、パラメータファイル設定を実施したいネットワーク機器の機器ＩＤをクリック等して選択する。機器ＩＤが選択されると、端末１８ａは、選択された機器ＩＤを含む情報をパラメータファイル設定サーバ２１に送信する（図４におけるＳ６７）。
【００２１】
選択された機器ＩＤを含む情報を受信すると、パラメータファイル設定サーバ２１のパラメータファイル表示部３は、パラメータファイルＤＢ１３を参照し、ネットワーク機器の機器ＩＤから、そのネットワーク機器に設定可能なパラメータの一覧を、端末１８ａのブラウザ上に表示させる（図４におけるＳ６８）。その一例を図８に示す。図８では、登録された日付が新しいものから順に表示している。
ユーザは、ブラウザ上に表示されたパラメータファイルの一覧から、設定するパラメータファイルのチェックボタンをチェック等する。さらに、ユーザは「次へ」というボタンをクリック等する。すると、端末１８ａは、設定するパラメータファイル情報を含むパラメータ設定要求を、パラメータファイル設定サーバ２１に送信する（図４におけるＳ６９）。
【００２２】
端末１８ａからのパラメータファイル設定要求を受信すると、パラメータ設定サーバ２１のパラメータファイル設定部４は、パラメータファイルＤＢ１３を参照し、パラメータファイルＩＤから、受信したパラメータファイル情報で指定されているパラメータファイルを探し、空いているフィールド等にコピーする。次に、パラメータファイルを設定する手順を実行する。本実施形態では、実行する間、端末１８ａのブラウザ上には、図９に一例を示すような実行状況が表示されるものとする。パラメータファイルを設定する実行手順を以下に示す。
▲１▼デバイスサーバ３１の接続状況を含む設定環境を確認する（図４におけるＳ７０）。
▲２▼ネットワーク機器３２に既に設定されているコンフィグ（Config）等の消去をし、再起動させる（図４におけるＳ７１）。
▲３▼指定されたパラメータファイルを、エラーの発生をチェックしながらダウンロードし（図４におけるＳ７２）、再起動させる（図４におけるＳ７３）。
▲４▼ネットワーク機器３２にログインし、ダウンロードしたファイルを含む作業ログをアップロードする（図４におけるＳ７４）。アップロードしたパラメータファイルの内容と、記憶している同じパラメータファイルＩＤのパラメータファイルの内容を比較し、チェックする。
【００２３】
パラメータファイル設定部４は、アップロードした作業ログを、管理ＤＢ１２の履歴を記録するフィールド等に記録する（図４におけるＳ７５）。
結果表示部５は、設定したネットワーク機器の機器ＩＤ、設置場所、メーカ、設定パラメータファイル、処理内容等の結果を、端末１８ａのブラウザ上に表示する（図４におけるＳ７６）。その一例を図１０に示す。
以上説明した内容が、実施形態Ａの基本的な部分である。
【００２４】
実施形態Ｂ
次に、携帯電話網経由でパラメータファイル設定の依頼を行う実施形態を説明する。
図１において、２１はパラメータファイル設定サーバであり、ネットワーク機器のパラメータファイル設定を行い、設定情報を一元管理する。このパラメータファイル設定サーバ２１は、上述の実施形態Ａと同じものである。
【００２５】
５１は携帯電話網である。パラメータファイル設定サーバ２１は、ＬＡＮ５３に接続されているアクセスサーバ２２を介して携帯電話網５１に接続されている。
４２はパラメータファイル設定の対象となるネットワーク機器であり、本実施形態ではルータ等であるものとする。４１は携帯電話対応デバイスサーバであり、ネットワーク機器４２とコンソールポートにより接続されている。４０は携帯電話であり、携帯電話対応デバイスサーバ４１は、この携帯電話４０を介して携帯電話網５１と接続されるものとする。１８ｂはノートパソコン等の端末であり、携帯電話対応デバイスサーバ４１を介して携帯電話網５１接続される。
【００２６】
この実施形態におけるパラメータファイル設定サーバ２１の機能及びパラメータファイル設定の動作は、上述した実施形態Ａとほぼ同じであるが、以下に簡単に説明する。
ユーザは、端末１８ｂのブラウザを用いてパラメータファイル設定サーバ２１にアクセスし、パラメータファイルの設定を行うサービスを選択する。パラメータファイル設定サーバ２１は、ネットワーク機器の設置場所等を端末１８ｂのブラウザ上に表示させ、設定対象のネットワーク機器と、設定するパラメータファイルを特定させる。端末１８ｂからパラメータファイル設定要求を受信したら、パラメータファイルの設定を実行し、結果を端末１８ｂのブラウザ上に表示させる。
以上説明した内容が、実施形態Ｂの基本的な部分である。
【００２７】
上述した実施形態Ａ、Ｂは、最も基本的な部分にすぎない。上述の実施形態Ａ、Ｂで実行可能なバリエーションの一例を以下に述べる。
【００２８】
１）ユーザによる権限の設定
ユーザがサイトにアクセスする時、ユーザＩＤ、パスワード等を入力する。このとき、ユーザの役職等により、実行できるサービスの制限を設けることもできる。例えば、同じ企業に属するユーザでも、ネットワーク管理者に相当するような人のみパラメータファイル登録等のサービスを選択できる、としてもよい。
【００２９】
２）設定対象ネットワーク機器の情報表示
ユーザが、パラメータファイルの設定をするネットワーク機器をクリック等して選択したとき、そのネットワーク機器に関する情報を端末１８（１８ａ、１８ｂ、１８ｃ、１８ｄ）のブラウザ上（画面上）に表示してもよい。その場合、パラメータ設定サーバ２１は、機器ＩＤや機器種別ＩＤと関連つけられたネットワーク機器情報を記録するネットワーク機器ＤＢを備えるものとする。
【００３０】
パラメータファイルの設定をするネットワーク機器が選択されると、パラメータ設定サーバ２１は、ネットワーク機器ＤＢを参照し、ネットワーク機器の機器ＩＤや機器種別ＩＤから、設置場所、メーカ、機種、イメージ画像、ファームウエアバージョン、現在設定されているパラメータファイル等の情報を得て、端末１８（１８ａ、１８ｂ、１８ｃ、１８ｄ）のブラウザ上（画面上）に表示する。ブラウザ上に表示した一例を図１１に示す。
【００３１】
３）パラメータファイルの表示
パラメータファイルの一覧をブラウザ上（画面上）に表示させる時、パラメータファイルの表示は、登録日付の新しい順で表示させるとは限らない。一般ユーザには、パラメータファイル設定サーバ２１、あるいは、サービス提供者等の推奨するパラメータファイルのみを表示させ、ネットワーク管理者等には、すべてのパラメータファイルを表示させてもよい。
【００３２】
４）パラメータファイル内容の表示
パラメータファイル設定要求を受信したパラメータファイル設定サーバは、図１２に一例を示すように、指定されたパラメータファイルの内容を端末１８（１８ａ、１８ｂ、１８ｃ、１８ｄ）のブラウザ上（画面上）に表示させてもよい。
【００３３】
５）ネットワーク機器の接続方法表示
上述した実施形態では、設定の対象となるネットワーク機器は、あらかじめデバイスサーバに接続されているものとした。しかし、実際にはコスト等の問題から、すべてのネットワーク機器が常にデバイスサーバに接続されているとは限らない。また、実施形態Ｂの場合、携帯電話４０が携帯電話対応デバイスサーバ４１に接続されているとは限らない。そのようなネットワーク機器にパラメータを設定する場合、デバイスサーバや携帯電話を接続する必要があるが、不慣れな作業者が接続することもあり得る。このようなことを考慮して、ネットワーク機器の接続方法を表示させてもよい。
【００３４】
その場合、パラメータファイル設定サーバは、図１３に一例を示すような、ネットワーク機器の接続方法を示す画像等を、あらかじめ機器ＩＤ等と関連つけて接続方法ＤＢに記録しておく。
パラメータファイル設定サーバ２１は、パラメータファイルをダウンロードする前に、接続方法ＤＢを参照して、該当する機器の接続方法を示す画像等を表示させる。さらに、端末１８（１８ａ、１８ｂ、１８ｃ）のブラウザ上に「次へ」というボタンを表示し、接続状態を確認したユーザがこのボタンをクリック等すると、パラメータファイルのダウンロードを実行する。
【００３５】
６）ファームウエアのダウンロード機能
ネットワーク機器にファームウエアのダウンロードを実行する機能を、パラメータファイル設定サーバ２１に備えさせてもよい。
例えば、上述の実施形態Ａにおいて、ＬＡＮ５２に、ファームウエアを記憶するサーバがさらに接続されている。また、ＬＡＮ５２には、対象となるネットワーク機器３２が通信用ポートで接続されている。なお、ここでは、通信用ポートは、通信するための設定がされていないものとする。
【００３６】
通常、ファームウエアは通信用ポートからダウンロードする。そこで、パラメータファイル設定サーバ２１は、まず、デバイスサーバを介してネットワーク機器３２にアクセスし、通信用ポートのパラメータファイル設定を行い、通信用ポートで通信できるようにする。次に、ファームウエアを記憶するサーバにアクセスし、設定するファームウエアを、通信用ポートからネットワーク機器にダウンロードさせる。
【００３７】
７）パラメータファイルの特定
上述の実施形態では、まず「場所」を選択し、次に、その場所に設置されているネットワーク機器の「機器ＩＤ」を選択することにより、パラメータファイルを設定するネットワーク機器を特定した。しかし、これに限られるわけでなく、ネットワーク機器を特定する項目として、「メーカ」や「ネットワーク機器の種類（機種）」等を表示してもよい。要は、パラメータファイルを特定するための情報を対話的に表示できればよい。
【００３８】
なお、実施形態Ａ、あるいは実施形態Ｂに、上述のバリエーション、あるいは他のバリエーションを追加しても、本発明の有効性には変わりがない。
また、上述した実施形態Ａでは、インターネット５２にデバイスサーバ経由で接続されたネットワーク機器３２に対し、端末１８ａを用いてＬＡＮ５２にアクセスし、パラメータファイルの設定を行うものとした。また、上述した実施形態Ｂでは、携帯電話用デバイスサーバで接続されたネットワーク機器４２に対し、携帯電話を用いて携帯電話網５１にアクセスし、端末１８ｂを利用してパラメータファイルの設定を行うものとした。しかし、上述の実施形態Ａ、Ｂに対し、ＬＡＮ５３に接続されている端末１８ｃや、携帯電話１８ｄを利用して、パラメータファイル設定の依頼をすることも可能である。
【００３９】
また、本実施形態では、パラメータファイル設定サーバ２１とデバイスサーバ３１はインターネット５０により接続されるものとした。しかし、インターネットに限られることはなく、イントラネット等を含むＩＰネットワークであればよい。
また、ここでは、インターネット等で接続する実施形態Ａと、携帯電話網で接続する実施形態Ｂとで説明したが、これに限られるわけではない。要は、パラメータファイル設定サーバ２１と、デバイスサーバと、ブラウザ（携帯電話）とがＩＰネットワークで接続されていればよい。
また、ここでいうＬＡＮとは、Ethernet（登録商標）であるものとする。
【００４０】
また、図２における各部の機能の一部またはすべてを実現するためのプログラムをコンピュータ読み取り可能な記録媒体に記録して、この記録媒体に記録されたプログラムをコンピュータシステムに読み込ませ、実行することにより実現させてもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【００４１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態を図面を参照して詳述してきたが、具体的な構成はこの実施形態に限られるものではなく、この発明の要旨を逸脱しない範囲の設計変更等も含まれる。
【００４２】
【発明の効果】
以上説明したように、本発明によるパラメータファイル設定サーバ及びシステムによれば、下記の効果を得ることができる。
端末と、パラメータファイル設定の対象となる通信機器とに通信ネットワークを介して接続されたパラメータファイル設定サーバにおいて、前記通信機器のパラメータファイルを記憶する記憶部と、前記端末から、設定するパラメータファイル情報を含むパラメータファイル設定要求を受信し、前記通信端末に、前記パラメータファイル情報で指定されたパラメータファイルの設定を実行するパラメータファイル設定部とを備えることを特徴とする。これにより、通信ネットワーク経由で通信機器のパラメータファイル設定を行うことができ、遠隔地からの支援等が可能となる。また、設定履歴を一元管理することにより、ネットワーク障害発生時の早急な復旧が可能となる。
【図面の簡単な説明】
【図１】  本実施形態のシステム構成を示した図である。
【図２】  本実施形態のパラメータファイル設定サーバ２１の機能をブロックで示した図である。
【図３】  本実施形態の、データベースの詳細を説明する図である。
【図４】  本実施形態の動作を説明する図である。
【図５】  本実施形態の、ログオン画面の一例である。
【図６】  本実施形態の、利用できるサービス一覧表示画面の一例である。
【図７】  本実施形態の、設置場所、及び機器ＩＤ表示画面の一例である。
【図８】  本実施形態の、パラメータファイル選択画面の一例である。
【図９】  本実施形態の、パラメータファイル設定の実行状況を表示する画面の一例である。
【図１０】  本実施形態の、パラメータファイル設定実行結果を表示する画面の一例である。
【図１１】  本実施形態の、パラメータファイル設定機器の情報表示画面の一例である。
【図１２】  本実施形態の、パラメータファイルの内容表示画面の一例である。
【図１３】  本実施形態の、ネットワーク機器のデバイスサーバへの接続方法を示す画面の一例である。
【図１４】  本実施形態の、パラメータファイル登録画面の一例である。
【符号の説明】
１：サービス表示部、２：機器表示部、３：パラメータファイル表示部、４：パラメータファイル設定部、５：結果表示部、１１：ユーザＤＢ、１２：管理ＤＢ、１３：パラメータファイルＤＢ、１８（１８ａ、１８ｂ、１８ｃ）：端末、１８ｄ：携帯電話、２１：パラメータファイル設定サーバ、２２：アクセスサーバ、３１：デバイスサーバ、３２：ネットワーク機器、４０：携帯電話、４１：携帯電話対応デバイスサーバ、４２：ネットワーク機器、５０：インターネット等、５１：携帯電話網、５２：ＬＡＮ、５３：ＬＡＮ
【図１】
0004137402.tif 000002
【図２】
0004137402.tif 000003
【図３】
0004137402.tif 000004
【図４】
0004137402.tif 000005
【図５】
0004137402.tif 000006
【図６】
0004137402.tif 000007
【図７】
0004137402.tif 000008
【図８】
0004137402.tif 000009
【図９】
0004137402.tif 000010
【図１０】
0004137402.tif 000011
【図１１】
0004137402.tif 000012
【図１２】
0004137402.tif 000013
【図１３】
0004137402.tif 000014
【図１４】
0004137402.tif 000015